(57)【要約】【課題】簡単な構成で確実に蛇行を防止して皺の発生を抑制できるウエブ貯留装置を得る。【解決手段】ウエブ継機構４から供給されるウエブ１を固定ローラ８とダンサーローラ１０との間に巻掛けて、ダンサーローラ１０の移動によりウエブ１を貯留する。ダンサーローラ１０は、ウエブ１の両端側に接触する端部１０ａ，１０ｂの直径をウエブ１の中央側に接触する中央部１０ｃの直径よりも大きく形成した。固定ローラ８は、ウエブ１の中央に円周方向に形成した中央溝２６と螺旋状の一対の溝２８，３０とを備え、一対の溝２８，３０は中央溝２６に接続され、また、ウエブ１の中央から両端に向かって、かつ、対称に形成されている。【選択図】  図３
2005206348.tif 000002
【特許請求の範囲】
【請求項１】
ウエブ継機構から供給されるウエブを固定ローラとダンサーローラとの間に巻掛けて、ダンサーローラの移動によりウエブを貯留するウエブ貯留装置において、
前記ダンサーローラは、前記ウエブの両端側に接触する端部の直径を前記ウエブの中央側に接触する中央部の直径よりも大きく形成し、
前記固定ローラは、螺旋状の溝を備えたことを特徴とするウエブ貯留装置。
【請求項２】
前記溝は２条からなることを特徴とする請求項１に記載のウエブ貯留装置。
【請求項３】
前記固定ローラは一対の前記溝を備え、前記一対の溝は、前記ウエブの中央から両端に向かって、かつ、対称に形成されていることを特徴する請求項１又は請求項２に記載のウエブ貯留装置。
【請求項４】
前記固定ローラは、前記ウエブの中央に円周方向に形成した中央溝を備え、前記一対の溝は前記中央溝に接続されたことを特徴とする請求項３に記載のウエブ貯留装置。
【発明の詳細な説明】
【技術分野】
【０００１】
本発明は、ウエブ継機構により新旧ウエブを継ぐ際に、ウエブ継機構から供給されるウエブを貯留するウエブ継装置に関する。
【背景技術】
【０００２】
従来より、印刷用紙や段ボール用原紙またはプラスチックフィルム等のウエブが巻かれたロールから、ウエブを連続的に消費機構に供給する際に、ウエブが消費された旧ロールを新ロールに交換すると共に、旧ロールからのウエブの後端に新ロールからのウエブの先端をウエブ継機構により継いでいる。ウエブ継機構によりウエブを継いでいる間、ロールからのウエブの供給は停止されるが、ウエブ継機構と消費機構との間にウエブ貯留装置を設けて、ウエブ貯留装置に貯留したウエブを消費機構に供給して、ウエブ継機構によりウエブを継いでいる間もウエブを供給できるようにしている。
【０００３】
このようなウエブ貯留装置として、特許文献１にあるように、複数の固定ローラと複数のダンサーローラとの間にウエブを巻掛けて、ダンサーローラを移動して、ウエブの供給路の経路長を変更して、ウエブを貯留できるようにしたものが知られている。そして、ウエブを継いでいる間は、ダンサーローラを移動してウエブをウエブ貯留装置から供給できるようにしている。
【０００４】
また、ウエブの供給速度の加速又は減速時に、ウエブのテンションが変化して、ウエブが蛇行し皺が発生する場合がある。これを解決するため、特許文献１では、ウエブを加速又は減速する前に、ダンサーローラを移動する油圧シリンダの油圧を設定圧に上げ、ウエブを継いだ後、ダンサーローラが上昇から下降に変化した時点で、油圧シリンダへの上昇油圧と下降油圧とを同時に供給して、テンションの変化によるウエブとローラとの間に空気を巻き込むこと等によるウエブの蛇行や皺の発生を防止している。
【特許文献１】特開平４−２９８４４４号公報
【発明の開示】
【発明が解決しようとする課題】
【０００５】
しかしながら、こうした従来のものでは、ウエブの加速や減速時に、設定圧を上げたり、ダンサーローラが上昇から下降に変化する時点で、油圧シリンダへの供給圧力をタイミング制御しなければならず、作動時期を正確に制御することが困難であるという問題があった。
【０００６】
本発明の課題は、簡単な構成で確実に蛇行を防止して皺の発生を抑制できるウエブ貯留装置を提供することにある。
【課題を解決するための手段】
【０００７】
かかる課題を達成すべく、本発明は課題を解決するため次の手段を取った。即ち、
ウエブ継機構から供給されるウエブを固定ローラとダンサーローラとの間に巻掛けて、ダンサーローラの移動によりウエブを貯留するウエブ貯留装置において、
前記ダンサーローラは、前記ウエブの両端側に接触する端部の直径を前記ウエブの中央側に接触する中央部の直径よりも大きく形成し、
前記固定ローラは、螺旋状の溝を備えたことを特徴とするウエブ貯留装置がそれである。
【０００８】
前記溝は２条からなる構成でもよい。また、前記固定ローラは一対の前記溝を備え、前記一対の溝は、前記ウエブの中央から両端に向かって、かつ、対称に形成されている構成でもよい。更に、前記固定ローラは、前記ウエブの中央に円周方向に形成した中央溝を備え、前記一対の溝は前記中央溝に接続された構成でもよい。
【発明の効果】
【０００９】
前述したように本発明のウエブ貯留装置は、固定ローラに溝を形成し、ダンサーローラの両端部の直径を大きく形成した簡単な構成で確実に蛇行を防止して皺の発生を抑制できるという効果を奏する。
【発明を実施するための最良の形態】
【００１０】
以下本発明を実施するための最良の形態を図面に基づいて詳細に説明する。
図１に示すように、１はウエブで、本実施形態では、ウエブ１には印刷用紙や段ボール用原紙が用いられている。ウエブ１はロール２ａ，２ｂに巻かれており、ロール２ａ，２ｂはウエブ継機構４に配置されている。ウエブ継機構４は一方のロール２ａからウエブ１を供給し、このロール２ａが消費されると、ウエブ１の後端に他方のロール２ｂの先端を図示しない接着テープ等により継いで、他方のロール２ｂから連続してウエブ１を供給する。ウエブ１を継ぐ際には、ウエブ１の供給が停止され、停止した状態でウエブ１の後端に他方のロール２ｂの先端を継ぐ。
【００１１】
ウエブ継機構４からのウエブ１はウエブ貯留装置６に供給される。ウエブ貯留装置６は、図２に示すように、複数の固定ローラ８と複数のダンサーローラ１０とを備えている。固定ローラ８は、装置本体１２に回転可能に支持されており、ダンサーローラ１０は装置本体１２に移動可能に支持された移動台１４に回転可能に支持されている。
【００１２】
移動台１４には、チェーン１８の一端が締結されており、チェーン１８を介してエアーシリンダ１６により、移動台１４とバランスするように構成されている。また、チェーン１８はスプロケット２２を介して、エアーシリンダ１６により、移動台１４の重量とのバランスが得られ、一定エアー圧力を供給又は排気させ、移動台１４を上下方向に応答よく高速で移動できるように構成されている。
【００１３】
複数のダンサーローラ１０は、本実施形態では、図３、図４に示すように、移動台１４に上下２段に、かつ、水平方向には５列に設けられている。各ダンサーローラ１０は、図７に示すように、両端側の端部１０ａ，１０ｂの直径が大きく、中央部１０ｃの直径が小さく形成されている。端部１０ａ，１０ｂは、ウエブ１の両端側に接触する箇所に設けられ、ウエブ１の中央側が中央部１０ｃに接触するように設けられている。
【００１４】
例えば、ウエブ１の幅方向の１〜３割程度がダンサーローラ１０の両端部１０ａ，１０ｂに接触し、ウエブ１の幅方向の残りの中央部分がダンサーローラ１０の中央部１０ｃに接触するように形成するとよい。また、本実施形態では、ダンサーローラ１０の端部１０ａ，１０ｂの直径を８８ｍｍに形成し、中央部１０ｃの直径をそれより０．４〜０．５ｍｍ小さく形成している。
【００１５】
一方、複数の固定ローラ８は、図３、図４に示すように、上下に３段、かつ水平方向に６列に設けられている。移動台１４を移動して、ダンサーローラ１０が最も下降したときには、図５に示すように、上下２段のダンサーローラ１０が、下側の２段の固定ローラ８の間に入り込み、中央の段では、固定ローラ８とダンサーローラ１０とが交互に並べられた配置となるように構成されている。
【００１６】
最も下側の段の固定ローラ８は、水平方向の両外側に配置されており、ウエブ１を図示しない消費機構に案内する。また、最も上側の段で、ウエブ１が導入される入口側の固定ローラ８には、センサ２４が配置されており、固定ローラ８の回転を検出して、ウエブ１の供給速度、供給長さを検出できるように構成されている。
【００１７】
各固定ローラ８は、図８に示すように、固定ローラ８の中央に幅の狭い中央溝２６が円周方向に１周して形成されている。そして、固定ローラ８の外周には、この中央溝２６に一端側が接続し、他端側が固定ローラ８の端に至る螺旋状の一対の溝２８，３０が連続して形成されている。この一対の溝２８，３０は、固定ローラ８の中央溝２６を境にして、左右対称に形成されており、一対の溝２８，３０の螺旋の巻き方向は逆方向となるように形成されている。本実施形態では、固定ローラ８の直径が８８ｍｍで、一対の溝２８，３０が幅３ｍｍ、深さ０．２５ｍｍとなるように形成されている。尚、中央溝２６は、幅２５ｍｍ、深さ０．２５ｍｍとなるように形成されている。
【００１８】
また、図９に示すように、螺旋状の一対の溝２８，３０を２条、形成するようにしてもよい。その際、溝２８，３０の位相は、１８０度ずれるように形成すればよい。更に、螺旋状の一対の溝２８，３０は、その巻き方向が、固定ローラ８の回転方向により螺旋に沿って中央側から軸方向外側に移動するように形成されている。
【００１９】
次に、前述した本実施形態のウエブ貯留装置６の作動について説明する。
まず、図５に示すように、移動台１４を最も下降させる。これにより、固定ローラ８とダンサーローラ１０とが、３段に配置される。そして、ウエブ継機構４から供給されるウエブ１を固定ローラ８が並ぶ上段と、固定ローラ８及びダンサーローラ１０とが並ぶ中央段との間を通し、通した後、折り返して、中央段と固定ローラ８及びダンサーローラ１０とが並ぶ下段との間を通す。続いて、下段を通した後、再び折り返して、下段の固定ローラ８の下側を通してから、図示しない消費機構に供給する。
【００２０】
この状態で、図６に示すように、移動台１４を上昇させると、ウエブ１は固定ローラ８とダンサーローラ１０とに、交互に巻き掛けられる。更に、図４に示すように、移動台１４を上昇させると、ウエブ１の供給路の経路長が長くなり、ウエブ１が貯留された状態になる。
【００２１】
ロール２ａのウエブ１が消費機構で消費されると、ウエブ継機構４では、ロール２ａからのウエブ１の後端に新たなロール２ｂからのウエブ１の先端を継いで、ロール２ｂからウエブ１が供給される。このウエブ１を継ぐ際に、ウエブ継機構４からウエブ１の供給が一時的に停止する。その際には、移動台１４が下降されて、ウエブ貯留装置６からウエブ１が消費機構に供給される。
【００２２】
ウエブ１がウエブ貯留装置６を高速で通過する際、各固定ローラ８及び各ダンサーローラ１０では、外周がウエブ１に接触した状態で従動回転する。ウエブ１が各固定ローラ８の外周に接触する際に、高速で移動するウエブ１と共に、ウエブ１と各固定ローラ８の外周との間に、空気を巻き込む場合がある。巻き込まれた空気は、一対の溝２８，３０に流入して、溝２８，３０内を流れて、ウエブ１が外周に接触していない反対側の溝２８，３０から排出されている。また、溝２８，３０が螺旋状に形成されているので、中央から軸方向外側に向かっても排出される。更に、溝２８，３０が螺旋状に、左右対称に形成されているので、溝２８，３０とウエブ１との摩擦により、ウエブ１が幅方向に両側に引っ張られる。よって、ウエブ１が蛇行することがなく、皺の発生も抑制できる。
【００２３】
一方、各ダンサーローラ１０では、ウエブ１が各ダンサーローラ１０の外周に接触する。ウエブ１が接触した状態でダンサーローラ１０が回転すると、端部１０ａ，１０ｂでは、中央部１０ｃより直径が大きいのでその周速が速い。ウエブ１の両端側は周速の速い端部１０ａ，１０ｂに接触しているので、ウエブ１はその両端側がより速い速度で引っ張られる力が作用する。これにより、ウエブ１はダンサーローラ１０の両端に引っ張られ、固定ローラ８よりも更に強い効果で皺の発生を抑制しつつ供給される。
【００２４】
前述したウエブ継機構４は、ロール２ａ，２ｂを水平方向に並べて配置した場合を例としたが、これに限らず、図１０に示すように、ロール２ａ，２ｂを上下方向に並べて配置したウエブ継機構４であっても同様に実施可能である。また、前述したウエブ貯留装置６は、移動台１４を上下方向に移動する場合を例としたが、これに限らず、図１１に示すように、移動台１４を水平方向に移動するように構成しても同様に実施可能である。
【００２５】
以上本発明はこの様な実施形態に何等限定されるものではなく、本発明の要旨を逸脱しない範囲において種々なる態様で実施し得る。
【図面の簡単な説明】
【００２６】
【図１】本発明の一実施形態としてのウエブ継機構とウエブ貯留装置との正面図である。
【図２】本実施形態のウエブ貯留装置の側面図である。
【図３】図２のＡＡ拡大断面図である。
【図４】本実施形態の移動台が最も上昇した位置にある固定ローラとダンサーローラとの配置図である。
【図５】本実施形態の移動台が最も下降した位置にある固定ローラとダンサーローラとの配置図である。
【図６】本実施形態の移動台が上昇途中にある固定ローラとダンサーローラとの配置図である。
【図７】本実施形態のダンサーローラの拡大図である。
【図８】本実施形態の固定ローラの拡大図である。
【図９】他の実施形態の固定ローラの拡大図である。
【図１０】他の実施形態のウエブ継機構の正面図である。
【図１１】他の実施形態のウエブ貯留装置の正面図である。
【符号の説明】
【００２７】
１…ウエブ            ２ａ，２ｂ…ロール
４…ウエブ継機構      ６…ウエブ貯留装置
８…固定ローラ        １０…ダンサーローラ
１０ａ，１０ｂ…端部  １０ｃ…中央部
１２…装置本体        １４…移動台
１６…バランスシリンダ
２６…中央溝          ２８，３０…溝
【図１】
2005206348.tif 000003
【図２】
2005206348.tif 000004
【図３】
2005206348.tif 000005
【図４】
2005206348.tif 000006
【図５】
2005206348.tif 000007
【図６】
2005206348.tif 000008
【図７】
2005206348.tif 000009
【図８】
2005206348.tif 000010
【図９】
2005206348.tif 000011
【図１０】
2005206348.tif 000012
【図１１】
2005206348.tif 000013